(57)【要約】      （修正有）【課題】デジタルコネクタの提供【解決手段】複数の結合穴を具えた座体２１、結合穴と結合されたスプリングシリンダー２２を包含する。該スプリングシリンダーの内部にピン部２３、バネ２４、 突出部２５、の順で取り付けられ、該突出部の一部分が該結合穴をカバーし、回路基板や接続ケーブルとの接続に供される。該ピン部の一部分は外に延伸され、被接続物との接触に供される。該スプリングシリンダーは連続した複数輪状体で構成された筒体である。該筒体の複数の筒部が該座体の結合穴と密接している。外嵌輪状体２２２は筒部輪状体２２１と接続し、また、該外嵌輪状体の外径は該筒部輪状体より大きく、該座体の１面に嵌合される。複数の肩部輪状体２２３は該外嵌輪状体と接続し、外径が漸次縮小され最後に貫通穴２２５とされ、針２３１の一部分を通過させる。【選択図】図３
0003117467.tif 000002
【実用新案登録請求の範囲】
【請求項１】
電源、信号、電路などの接続用のデジタルコネクタにおいて、該デジタルコネクタは
座体であって、第１面と第２面が反対側にあり、第１面と第２面に１つ以上の結合穴がある、上記座体と、
スプリングシリンダーであって、連続複数の輪状体が構成した円柱であり、該複数輪状体は複数の輪状筒が該座体の結合穴に密接し、外嵌輪状体がその筒体と接続し、また、該外嵌輪状体の外径が該筒体より大きく、該座体の第１面に嵌合し、複数の肩部輪状体が該外嵌輪状と連結して、外径が漸縮し、該スプリングシリンダーの内部が設置空間とされ、該肩部輪状体の内径が貫通穴とされる、上記スプリングシリンダーと、
ピン部であって、該スプリングシリンダーの貫通穴に挿通される、上記ピン部と、
連結針と針止めであって、該針止めはスプリングシリンダーの設置空間にある、上記連結針と針止めと、
スプリングであって、該スプリングシリンダーの内部空間に装着され、該スプリングは第１端と第２端を具備し、その第１端は該針止めと接合される、上記スプリングと、
突出部と、
連結体の凸部とカバーであって、該凸部は該スプリングシリンダーの筒部輪状の内径と密接し、該スプリングの第2 端と接合され、該カバーは該座体の第２面を緊密接触する、上記連結体の凸部とカバーと、
を包含したことを特徴とする、デジタルコネクタ。
【請求項２】
請求項１記載のデジタルコネクタにおいて、その突出部の凸部の端部は中に凹んで凹部になって、そして該筒部輪状体は外径を少し小さいの内嵌輪状体で、該凹部に嵌められることを特徴とするデジタルコネクタ。
【請求項３】
請求項１記載のデジタルコネクタにおいて、該スプリングシリンダーは表面メッキ処理完了の金属線が巻いていることを特徴とするデジタルコネクタ。
【請求項４】
請求項１記載のデジタルコネクタにおいて、該針が柱状端部であることを特徴とするデジタルコネクタ。
【考案の詳細な説明】
【技術分野】
【０００１】
本考案は一種デジタルコネクタに係り、特に、品質が安定し、安定した接続を提供できるデジタルコネクタに関する。
【背景技術】
【０００２】
一般の携帯電話やＰＤＡなどの電子装置は多くのコネクタを、電源、信号、電路などの接続に使う。該接続物品、例えバッテリ電源は頻繁に交換する必要があるので、該コネクタは接続物品に取替えに便利で安定した接合を提供する特性を具備せねばならない。そこで、該デジタルコネクタは一般的に弾力性のある構造で作られていて、接続物品と弾力的接触関係を形成し、接続物の取り外しに便利である。
【０００３】
周知の弾力性あるのデジタルコネクタは、２種類の形式がある。その一つは板ばね式コネクタ、もう一つはスプリング式コネクタである。該板ばね式コネクタは板ばねの一端が固定され、この板ばねの大部分が傾斜する弾力アームとされ、被接続物品と接触する構造である。しかし、該弾力アームは支えがなく、また、接触作用力と支点は同じ軸ではない為、時間が経つと接触不良になり、製品使用の品質と寿命に影響が生じる。また、該板状のばねは刃物状のエッジがあり、接続物品の設置過程で、接続物を損傷させやすく、商品使用の品質と寿命にも影響がある。
【０００４】
第１図は周知のスプリング式コネクタの外観表示図である。第２図は第１図に示したコネクタのＡ- Ａ横断面である。図面のように、上記該板ばね式コネクタ１は、座体１１で、複数の結合穴１１１を具えた座体１１を具える。チューブ体１２は該結合穴１１１と接続され、そして該チューブ部１２の頂点から外径が漸次縮小され肩部１２１が形成されている。該チューブ部１２内部にピン部１３、スプリング１４、そして突出部１５の順で取り付けられる。該突出部１５の底部は該結合穴１１１をカバーし、また、電路基板或いは接続ケーブルにも接続できる。そして、該ピン部１３の一部分は外に延伸され、接続物品と接触する。
【０００５】
上記に述べたスプリング式コネクタ2 のスプリング１４はピン部１３と接続物品との弾力接触関係を保つ。該ピン部１３の接触作用力と弾力支えは同じ軸方向であるため、弾性疲労を発生しにくく、また、該ピン部１３は柱状端の設計であるため接続物品に切り傷などの破壊を形成せず、上記板ばね式コネクタの欠点を解決したが、該スプリング式コネクタ1 は製作過程中、チューブ部１２に導電のためのメッキを行うとき、チューブ部１２の頂端が肩部１２１の形状であるため、密封状態になり、メッキ加工しにくく、メッキ不良の状況になりやすい。また、チューブ１２と座体１１の結合穴１１１は縦に組み合わされ、横に嵌合する構造がない為、脱落の恐れがある。
【考案の開示】
【考案が解決しようとする課題】
【０００６】
本考案は上記に述べた各種デジタルコネクタの欠点を改良するため設計された一種のデジタルコネクタであり、上記に述べた各種コネクタの欠点を解決でき、そしてスプリンスプリング式コネクタの弾性疲労を形成しにくく接続物品に切り傷を形成しにくい長所、そして組立が簡単で、品質が安定し、結合が強固である等の長所を具備するデジタルコネクタを提供することを目的とする。
【０００７】
本考案のデジタルコネクタは複数の結合穴がついている座体、結合穴と結合されたスプリングシリンダーを具備する。該スプリングシリンダーの内部にピン部、バネ、 突出部、の順で取り付けられ、該突出部の一部分は該結合穴を被覆し、回路基板や接続ケーブルとの接続に使用される。該ピン部の一部分は外へ延伸され、被接続物と接触できるものとされる。その中、該スプリングシリンダーは連続した複数輪状体で構成された筒体である。該筒体は複数の筒部は該座体の結合穴と密接している。外嵌輪状体は該筒部輪状体と接続され、また、該外嵌輪状体の外径は該筒部輪状体より大きくて、該座体の1 面に嵌合される。複数の肩部輪状体は該外嵌輪状体と接続され、外径が漸次縮小され、最後に貫通穴とされ、針の一部分を通過させる。本考案によると、周知の技術のチューブ部をメッキしにくい欠点を解決し、該突出部及び該スプリングシリンダーの外嵌輪状体が座体結合穴の両面と嵌合し、該スプリングシリンダーと該座体との強固な結合を確保できる。
【０００８】
本考案のもう一つ目的はデジタルコネクタを提供することにあり、それは、そのスプリングシリンダーと突出部が固く結合されたものとする。
【課題を解決するための手段】
【０００９】
請求項１の考案は、電源、信号、電路などの接続に使用されるデジタルコネクタにおいて、該デジタルコネクタは
座体であって、第１面と第２面が反対側にあり、第１面と第２面に１つ以上の結合穴がある、上記座体と、
スプリングシリンダーであって、連続複数の輪状体が構成した円柱であり、該複数輪状体は複数の輪状筒が該座体の結合穴に密接し、外嵌輪状体がその筒体と接続し、また、該外嵌輪状体の外径が該筒体より大きく、該座体の第１面に嵌合し、複数の肩部輪状体が該外嵌輪状と接続して、外径が漸縮し、該スプリングシリンダーの内部が設置空間とされ、該肩部輪状体の内径が貫通穴とされる、上記スプリングシリンダーと、
ピン部であって、該スプリングシリンダーの貫通穴に挿通される、上記ピン部と、
接続針と針止めであって、該針止めはスプリングシリンダーの設置空間にある、上記接続針と針止めと、
スプリングであって、該スプリングシリンダーの内部空間に装着され、該スプリングは第１端と第２端を具備し、その第１端は該針止めと接合される、上記スプリングと、
突出部と、
接続体の凸部とカバーであって、該凸部は該スプリングシリンダーの筒部輪状の内径と密接し、該スプリングの第2 端と接合され、該カバーは該座体の第２面を緊密接触する、上記接続体の凸部とカバーと、
を包含したことを特徴とする、デジタルコネクタとしている。
請求項２の考案は、請求項１記載のデジタルコネクタにおいて、その突出部の凸部の端部は中に凹んで凹部になって、そして該筒部輪状体は外径を少し小さいの内嵌輪状体で、該凹部に嵌められることを特徴とするデジタルコネクタとしている。
請求項３の考案は、請求項１記載のデジタルコネクタにおいて、該スプリングシリンダーは表面メッキ処理完了の金属線が巻いていることを特徴とするデジタルコネクタとしている。
請求項４の考案は、請求項１記載のデジタルコネクタにおいて、該針が柱状端部であることを特徴とするデジタルコネクタとしている。
【考案の効果】
【００１０】
本考案のデジタルコネクタは、該突出部に凸部があって、該凸部の端は中に凹んで凹入部になって、該筒部輪状体は外径を少し小さいの内嵌輪状体で、該凹部に嵌められることで、該スプリングシリンダーと該突出部と固く結合する。
【考案を実施するための最良の形態】
【００１１】
本考案の構造、特徴、そして、効用について、第３図の実施例で、下記、さらに詳しく説明する。該第３図は本考案電子連接器の断面図。
【００１２】
該第３図に示すよう、本考案のデジタルコネクタ２は座体２１、スプリングシリンダー２２、ピン部２３、スプリング２４、そして突出部２５がついている。上記に述べた座体２１は、相互に反対側に位置する第１面２１１と第２面２１２を具備し、第１面と第２面には１つ以上の結合穴２１３が設けられている。
【００１３】
上記のスプリングシリンダー２２は、連続する複数の輪状体で構成された円柱である。該複数の輪状体は複数の輪状筒２２１、外嵌輪状体２２２、そして複数の肩部輪状体２２３で構成される。該複数の筒部輪状体２２１が該座体２１の結合穴２１３に密接している。該外嵌輪状体２２２がその筒体２２１と接続され、また、該外嵌輪状体の外径が該筒体より大きくて、該座体２１の第１面２１１に嵌合される。複数の肩部輪状体２２３が該外嵌輪状２２２と接続され、外径が漸次縮小される。該スプリングシリンダー２２の内部が設置空間２２４とされ、ピン部２３、スプリング２４、 そして突出部２５が取り付けられる。該肩部の輪状輪状体の内径が貫通穴２２５になって、ピン部２３の一部分が挿通される。実施上、該スプリングシリンダー２２は表面メッキ処理完成の金属線を巻回してなる。該等金属線は金メッキ線、銅メッキ線、りん銅線、ステンレス線などとされる。
【００１４】
上記のピン部２３は相互に接続された針２３１と針止め２３２を包含する。形態上、針２３１が柱状端の設計とされ、該スプリングシリンダー２２の貫通穴２２５に挿入され、該針止め２３２はスプリングシリンダー２２の肩部輪状体２２３の内部収容空間２２４にあって、該ピン部２３が該スプリングシリンダー２２から脱落することを防いでいる。
【００１５】
上記のスプリング２４は該スプリングシリンダー２２の内部設置空間２２４に装着され、また、該スプリング２４は第１端２４１と第２端２４２を具え、その第１端２４１は該ピン部２３の針止め２３２と接触する。上記の突出部２５は接続体の凸部２５１とカバー２５２を包含する。該凸部２５１は該スプリングシリンダー２２の筒部輪状体２２１の内径と密接し、該スプリング２４の第２端２４２と接合する。該カバー２５２は該座体２１の第２面２１１に緊密に接触し、回路基板や接続ケーブルと接続できる（図示なし）。また、その突出部２５の凸部２５１の端部は中に凹んで凹部２５３になって、そして該筒部輪状体２２は外径が少し小さいの内嵌輪状体２２６で、該凹部２５３に嵌合され、該スプリングシリンダー２２は該突出部２５と固く接合可能である。使用時、接続物品（図示なし）はピン部２３の針２３１の端部と接触でき、スプリング２４が適度の接触弾力を提供する。接続物品の取り外しには便利で、接触力も適当である。
【００１６】
本考案のデジタルコネクタは該ピン部２３の接触作用力とスプリング２４の弾力支えは同じ軸方向であるため、弾性疲労を発生しにくく、また、該ピン部２３は柱状端の設計なので、接続物体に切り傷などの破壊を形成せず、上記スプリング式コネクタと同じ効用がある。これだけではなく、本考案のスプリングシリンダー２２は表面メッキ処理完成の金属線を巻回してなる複数の輪状筒体であって、周知の密封式チューブ部１２がメッキしにくい欠点を避けている。また、本創作の突出部２５カバー２５２とスプリングシリンダー２２外嵌輪状体２２２は横方向に座体２１結合体２２３の両面と嵌合している為、該スプリングシリンダー２２と該座体２１と固く結合できる。更に、該突出部２５凸部２５１は凹入部２５３とスプリングシリンダー２２の輪状体２２６と嵌合し、該スプリングシリンダー２２と該突出部２５の接続がもっと固くする。
【００１７】
以上の実施例は本考案の範囲を限定するものではない。本考案の請求範囲に述べた形状、構造、 特徴や精神で均等変化や修正などは、いずれも本考案の請求範囲に属するものとする。
【図面の簡単な説明】
【００１８】
【図１】周知のバネ式（スプリング式）コネクタの外観図。
【図２】第１図に示したコネクタのＡ- Ａ横断面。
【図３】本考案のデジタルコネクタの横断面。
【符号の説明】
【００１９】
１１    座体
１１１  結合穴
１２    チューブ体
１２１  肩部
１３    ピン部
１４    バネ
１５    突出部
２１    座体
２１１  第１面
２１２  第２面
２１３  結合穴
２２    スプリングシリンダー
２２１  筒部輪状体
２２２  外嵌輪状体
２２３  肩部輪状体
２２４  設置空間
２２５  貫通穴
２２６  輪状体
２３    ピン部
２３１  針
２３２  針止め
２４    スプリング
２４１  第１端
２４２  第２端
２５    突出部
２５１  凸部
２５２  カバー
２５３  凹入部
【図１】
0003117467.tif 000003
【図２】
0003117467.tif 000004
【図３】
0003117467.tif 000005